(57)【特許請求の範囲】
【請求項１】
吹き出し開口を形成する筒状のリテーナと、該リテーナ内に揺動自在に配置された互いに平行な複数の風向偏向板とを具備するレジスタにおいて、
前記風向偏向板は前方偏向板と、ヒンジ部を介して該前方偏向板に揺動自在に連結された後方偏向板とからなり、該前方偏向板と該後方偏向板とは互いに独立して揺動可能に構成され、
前記吹き出し開口側に設けられ該後方偏向板を揺動させるノブと、該後方偏向板に枢支された遊星ギヤと、該遊星ギヤと噛合し該後方偏向板の揺動に伴って該遊星ギヤを回動させる固定ギヤと、該遊星ギヤと噛合するとともに該前方偏向板に連結され該後方偏向板の揺動に伴う該遊星ギヤの回動により該遊星ギヤの回動角度と異なる角度で回動して該前方偏向板を揺動させる従動ギヤと、を有することを特徴とする空調用レジスタ。
【発明の詳細な説明】
【０００１】
【発明の属する技術分野】
本発明は自動車室内などに設けられ、温風又は冷風を吹き出す開口部を構成する空調用レジスタの構造の改良に関する。
【０００２】
【従来の技術】
自動車のインストルメントパネルなどには、空調装置からの温冷風を吹き出す開口部としてのレジスタが設けられている。このレジスタは、空気流路及び吹き出し開口を形成する筒状のリテーナと、リテーナ内に揺動自在に配置された互いに平行な複数の風向偏向板とからなり、一般に手動により風向偏向板の角度を調節することで風向を調節可能とされている。
【０００３】
風向偏向板としては、水平方向に延び上下方向に揺動して風向を上下方向に変化させる水平偏向板と、上下方向に延び左右方向に揺動して風向を左右方向に変化させる垂直偏向板との２種類が一般に設けられている。そして水平偏向板と垂直偏向板にはそれぞれノブが設けられ、ノブの操作により複数の水平偏向板又は複数の垂直偏向板が同時に揺動するように構成されている。
【０００４】
つまり例えば図６に示すように、複数の垂直偏向板１００（図６には１枚のみを示している）を中心部の上下方向で枠体２００に揺動自在に枢支し、かつ垂直偏向板１００の一端を連結ロッド３００に揺動自在に枢支する。このようにすることで、１枚の垂直偏向板１００先端の突起１０１にノブを連結して揺動させれば、１枚の垂直偏向板１００の枠体２００に対する揺動に伴って連結ロッド３００が円弧状に移動し、これにより全ての垂直偏向板１００を同期して揺動させることができる。
【０００５】
ところで車室内の快適性を一層向上させるためには、風向偏向板の揺動角度を大きくする必要がある場合がある。ところが複数の風向偏向板を大きく揺動させると、両端に位置する風向偏向板が枠体２００などの支持部材と干渉してしまう。したがって風向偏向板の揺動角度は、両端の風向偏向板の支持部材との干渉位置で規制され、それ以上の揺動が困難となっていた。
【０００６】
そこで例えば特開平３−２０４５５０号公報や、実開平３−１００７５１号公報には、風向偏向板の一部を軟質材料から形成し、その一端を固定して他端を揺動させることにより湾曲可能とした空調用グリルが開示されている。このような風向偏向板を用いれば、一端が固定されているため支持部材との干渉を回避しつつ他端の揺動角度を大きくすることが可能となり、風向の指向性が向上するとともに騒音も低減することができる。
【０００７】
【発明が解決しようとする課題】
ところが一部を軟質材料から形成した風向偏向板では、製造工数が多大となり、コスト面での不具合が生じている。
本発明はこのような事情に鑑みてなされたものであり、風向偏向板を硬質樹脂のみから形成しても、揺動時に支持部材との干渉を防止でき、騒音の増大を防止しつつ揺動角度を拡大することができるようにすることを目的とする。
【０００８】
【課題を解決するための手段】
上記課題を解決する本発明の空調用レジスタの特徴は、吹き出し開口を形成する筒状のリテーナと、リテーナ内に揺動自在に配置された互いに平行な複数の風向偏向板とを具備するレジスタにおいて、風向偏向板は前方偏向板と、ヒンジ部を介して前方偏向板に揺動自在に連結された後方偏向板とからなり、前方偏向板と後方偏向板とは互いに独立して揺動可能に構成され、吹き出し開口側に設けられ後方偏向板を揺動させるノブと、後方偏向板に枢支された遊星ギヤと、遊星ギヤと噛合し後方偏向板の揺動に伴って遊星ギヤを回動させる固定ギヤと、遊星ギヤと噛合するとともに前方偏向板に連結され後方偏向板の揺動に伴う遊星ギヤの回動により遊星ギヤの回動角度と異なる角度で回動して前方偏向板を揺動させる従動ギヤと、を有することにある。
【０００９】
【発明の実施の形態】
本発明の空調用レジスタでは、ノブを揺動させて後方偏向板を所定角度揺動させると、それに伴って遊星ギヤが回動し、従動ギヤが回動する。従動ギヤには前方偏向板が連結されているため、従動ギヤの回動に伴って前方偏向板が揺動する。
【００１０】
ここで、遊星ギヤと従動ギヤとのギヤ比を適宜設定することにより、従動ギヤの回動角度と遊星ギヤの回動角度を異ならせることができ、前方偏向板の揺動角度と後方偏向板の揺動角度を異ならせることができる。したがって、ヒンジ部を中心にして例えば前方偏向板の一端を大きく揺動させた時に後方偏向板を小さく揺動させるようにすれば、前方偏向板の他端を構成するヒンジ部とリテーナとの干渉はないので前方偏向板の揺動角度を大きくすることができ、吹き出す風の風向を大きく変化させることができる。そして後方偏向板をリテーナと干渉しない範囲で前方偏向板となす角度が極力小さくなるように揺動させれば、風向を一層安定させることができる。
【００１１】
また本発明の空調用レジスタでは、ノブを操作して後方偏向板を揺動させるだけで、前方偏向板を適切な角度に揺動させることができる。このため前方偏向板の揺動角度に合わせて後方偏向板の揺動角度を調節する手間が省け、操作性を著しく向上させることができる。
【００１２】
【実施例】
以下、実施例により本発明を具体的に説明する。本実施例は自動車のインストルメントパネルに設けられる空調用レジスタに本発明を適用したものである。
（実施例１）
図１に本実施例の空調用レジスタの全体構成図を、図２にその要部断面図を示す。この空調用レジスタは、車体に固定される筒状のリテーナ１と、インストルメントパネルに固定されて開口部を構成しリテーナ１と結合固定される筒状のベゼル２と、リテーナ１及びベゼル２内に保持される垂直偏向板部材３と、垂直偏向板部材３の前方でリテーナ１及びベゼル２内に保持される水平偏向板部材４と、変位機構５とから主として構成されている。
【００１３】
垂直偏向板部材３は、図３にその断面図を示すように、複数対の前方偏向板３０及び後方偏向板３１と、前方偏向板３０及び後方偏向板３１を枢支する第１連結ロッド３２、第２連結ロッド３３、第３連結ロッド３４及び第４連結ロッド３５からなり、複数対の前方偏向板３０及び後方偏向板３１はそれぞれ互いに間隔を隔てて平行に配置されている。
【００１４】
図２及び図３に示すように、複数の後方偏向板３１は前端部がそれぞれ前方偏向板３０と凹凸状に係合し、後方偏向板３１の凸部が前方偏向板３０の凹部に形成されている一対の突起３６に係合することにより、複数対の前方偏向板３０と後方偏向板３１は互いに揺動自在に一体化されている。また複数の前方偏向板３０は、後端部の上下両端に形成された軸部３７がそれぞれ第１連結ロッド３２と第２連結ロッド３３に回動自在に枢支されている。したがって複数対の前方偏向板３０及び後方偏向板３１は、第１連結ロッド３２と第２連結ロッド３３に保持された状態で、互いに揺動自在となっている。
【００１５】
また複数の前方偏向板３０の前端部の下端にはそれぞれ凸部３８が形成され、それぞれの凸部３８は第３連結ロッド３４に回動自在に枢支されている。これにより１枚の前方偏向板３０を揺動させることにより、全ての前方偏向板３０が同期して互いに平行に揺動可能となっている。
さらに後方偏向板３１の後端部の上端部にもそれぞれ凸部３９が形成され、それぞれの凸部３９は第４連結ロッド３５に回動自在に枢支されている。これにより１枚の後方偏向板３１の揺動により、全ての後方偏向板３１が同期して互いに平行に揺動可能となっている。
【００１６】
なお、複数の前方偏向板３０のうち中央に位置する一つの前方偏向板３０の下端からは前方軸３０ａが突出し、複数の後方偏向板３１のうち中央に位置する一つの後方偏向板３１の下端からは後方軸３１ａが突出している。
この垂直偏向板部材３は、２色成形法により形成された。すなわち、先ず第１の成形時に複数の前方偏向板３０と第４連結ロッド３５を融点の高い熱可塑性樹脂より形成する。このような樹脂としては、ＡＢＳ、ＰＯＭ（ポリアセタール）、ＰＡ（ポリアミド）などが例示されるが、この実施例ではＡＢＳを用いている。
【００１７】
次に、同じ成形型内で一部のスライドコアを変更し、形成された複数の前方偏向板３０を成形型内に配置した状態で、ＡＢＳより融点が低くＡＢＳと接合しない熱可塑性樹脂により後方偏向板３１と、第１連結ロッド３２、第２連結ロッド３３及び第３連結ロッド３４を形成する第２の成形を行う。これにより第１連結ロッド３２、第２連結ロッド３３、第３連結ロッド３４及び第４連結ロッド３５に揺動自在に保持され、互いに揺動可能な複数対の前方偏向板３０及び後方偏向板３１よりなる垂直偏向板部材３が得られる。なお、第２の成形に用いられる樹脂としてはＰＰ、ＰＥなどが例示されるが、本実施例ではＰＰを用いている。
【００１８】
水平偏向板部材４は、互いに間隔を隔てて平行に配置された複数の水平偏向板４０と、複数の水平偏向板４０を揺動自在に枢支する一対の側板４１と、複数の水平偏向板４０の一端に配置され複数の水平偏向板４０を枢支する図示しない連結ロッドとから構成されている。側板４１には円弧状の長孔４２が形成され、図示しない連結ロッドから延びる水平軸４３が長孔４２に係合して側板４１から突出している。
【００１９】
したがってこの水平偏向板部材４では、水平軸４３を長孔４２に沿って移動させることにより、複数の水平偏向板４０が同期して揺動するように構成されている。なお、この水平偏向板部材４も２色成形により形成されている。
リテーナ１は断面矩形の筒状をなし、その上面には第１連結ロッド３２が係合固定される切り欠き１０が形成されている。また下面には、中央に下方へ突出するボス部１１をもち第２連結ロッド３３と同一形状の直線形状の凹溝１２と、凹溝１２の前方に円弧状の第１長孔１３と、凹溝１２の後方に円弧状の第２長孔１４とが形成されている。またその底部外表面の後端部には、内周表面に円弧状のギヤ部をもつ固定ギヤ１５が形成されている。
【００２０】
ベゼル２は、リテーナ１と係合固定される断面矩形の筒状の本体２０と、本体２０の前方に一体的に形成され開口部を規定するフランジ部２１とから構成されている。フランジ部２１には、縦方向に延びる縦長孔２２と、水平方向に延びる横長孔２３が形成され、縦長孔２２側の本体２０側面には貫通孔２４が形成されている。
【００２１】
さて、本実施例を特徴付ける変位機構５は、図１に示すように、水平ノブ５０と、遊星ギヤ５３と、従動ギヤ５４とから構成されている。水平ノブ５０は長尺状の板状をなし、先端にノブギヤ５１をもつとともに後端に後方軸３１ａが枢支される孔５２をもち、ビス６によりボス部１１に回動自在に保持されている。
遊星ギヤ５３は、後方軸３１ａに回動自在に枢支されて水平ノブ５０とリテーナ１との間に配置され、固定ギヤ１５及び従動ギヤ５４と噛合している。
【００２２】
また従動ギヤ５４は、先端に前方軸３０ａが枢支される孔５５をもち、中央部がボス部１１に回動自在に枢支されるとともに、後端が遊星ギヤ５３と噛合している。
この変位機構の作用を以下に説明する。先ず複数の前方偏向板３０が前後方向に延びた状態では、図４に示すように遊星ギヤ５３の中心は前方軸３０ａ及び水平ノブ５０の中心と同一直線上に位置し、複数の後方偏向板３１は前方偏向板３０と同一方向である前後方向に延びている。そして水平ノブ５０は、ベゼル２の横長孔２３から表出している。
【００２３】
そして図５に示すように水平ノブ５０を回動させると、孔５２に枢支された後方軸３１ａが後方偏向板３１の揺動に伴って第２長孔１４に案内されて移動し、遊星ギヤ５３が自転しながら固定ギヤ１５の表面に沿って公転する。すると遊星ギヤ５３に噛合する従動ギヤ５４が回動し、孔５５に枢支された前方軸３０ａが第１長孔１３に案内されて移動するため、前方偏向板３０が揺動する。
【００２４】
このときギヤ比の調整により、後方偏向板３１の揺動角度より前方偏向板３０の揺動角度の方が大きくなるように構成されている。したがって図５に示すように、ノブギヤ５１の操作角度（後方偏向板３１の揺動角度）を小さく抑制しながら、前方偏向板３０を左右に大きく揺動させることができる。これにより後方偏向板３１とリテーナ１とが干渉することがなく、また騒音を防止しつつ、リテーナ１側から供給される温冷風の風向を大きく可変することが可能となる。
【００２５】
一方、水平偏向板部材４では、図１に示すように、ベゼル２の貫通孔２４に円板状の垂直ノブ４５が回動自在に保持され、垂直ノブ４５に形成された貫通孔４６に水平軸４３が係合される。したがって垂直ノブ４５を回動させることにより、水平軸４３が長孔４２に案内されて上下に円弧状に移動し、それに伴って複数の水平偏向板４０が上下に揺動するため、風向を上下方向に変化させることができる。
【００２６】
【発明の効果】
すなわち本発明の空調用レジスタによれば、ノブを小さな角度で揺動させて後方偏向板を小さな角度で揺動させるだけで、リテーナなどとの干渉を防止しつつ前方偏向板を大きく揺動させることができるので、騒音を防止しつつ風向を大きく変化させることができ、操作性と快適性が向上する。
【００２７】
また従来のように軟質樹脂と硬質樹脂とを接合した風向偏向板とする必要がないので、構成が簡略化され安価なレジスタとすることができる。
【図面の簡単な説明】
【図１】本発明の一実施例のレジスタの部品構成を示す斜視図である。
【図２】本発明の一実施例のレジスタの要部断面図である。
【図３】本発明の一実施例のレジスタの垂直偏向板部材の断面図である。
【図４】本発明の一実施例のレジスタの作用を説明する説明図である。
【図５】本発明の一実施例のレジスタの作用を説明する説明図である。
【図６】従来のレジスタの垂直偏向板部材の部品構成を示す斜視図である。
【符号の説明】
１：リテーナ          ２：ベゼル                  ３：垂直偏向板部材
４：水平偏向板部材    ５：変位機構（変位手段）  １５：固定ギヤ
３０：前方偏向板      ３１：後方偏向板            ４０：水平偏向板
５０：水平ノブ        ５３：遊星ギヤ              ５４：従動ギヤ
【図１】
0003788655.tif 000002
【図２】
0003788655.tif 000003
【図３】
0003788655.tif 000004
【図４】
0003788655.tif 000005
【図５】
0003788655.tif 000006
【図６】
0003788655.tif 000007